(57)【要約】ショート・メッセージング・ピアツーピア（ＳＭＰＰ）プロトコルを使用するショート・メッセージング・サービス（ＳＭＳ）なりすましを管理するためのシステムおよび方法が開示される。ＳＭＰＰプロトコル通信は、ＳＭＰＰ伝送装置（２０２）およびＳＭＰＰ送受信装置（２０４）を含む。ＳＭＰＰ伝送装置（２０２）は、宛先への転送のためにＳＭＳメッセージを識別または受信する。ＳＭＰＰ伝送装置（２０２）は、ＳＭＳメッセージに関する送信元アドレスを識別し、その送信元アドレスが真正であるかを判定する。もし、前記送信元アドレスが真正でなければ、ＳＭＰＰ伝送装置（２０２）は、前記ＳＭＳメッセージと共に、ＳＭＰＰパケット・データ・ユニット（ＰＤＵ）をＳＭＰＰ送受信装置（２０４）へ伝送する前に、送信元アドレスが真正でないという正当性標識をＳＭＰＰ  ＰＤＵに挿入する。ＳＭＰＰ伝送装置（２０２）からＳＭＰＰ  ＰＤＵを受信すると、ＳＭＰＰ送受信装置（２０４）は、ＳＭＰＰ伝送装置（２０２）により提供された正当性標識に基づいて宛先へＳＭＳメッセージを配送するか否かを判定し得る。
2013516898.tif 000002
【特許請求の範囲】
【請求項１】
ショート・メッセージング・サービス（ＳＭＳ）メッセージを識別するように動作するショート・メッセージング・ピアツーピア（ＳＭＰＰ）伝送装置（２０２）を備えたシステム（２００）において、
前記ＳＭＰＰ伝送装置（２０２）が、前記ＳＭＳメッセージに関する送信元アドレスを識別し、前記送信元アドレスが真正であるかを判定するように動作し、
もし、前記判定によって前記送信元アドレスが真正でないとされた場合、前記ＳＭＰＰ伝送装置（２０２）がさらに、ＳＭＰＰパケット・データ・ユニット（ＰＤＵ）をＳＭＰＰ送受信装置（２０４）へ伝送する前に、前記ＳＭＳメッセージと共に、前記送信元アドレスが真正でないという正当性標識を前記ＳＭＰＰ  ＰＤＵに挿入するように動作することを特徴とする、システム（２００）。
【請求項２】
もし、前記判定によって前記送信元アドレスが真正であるとされた場合、前記ＳＭＰＰ伝送装置（２０２）がさらに、前記ＳＭＰＰ  ＰＤＵを前記ＳＭＰＰ送受信装置（２０４）へ伝送する前に、前記送信元アドレスが真正であるという正当性標識を前記ＳＭＰＰ  ＰＤＵに挿入するように動作する、請求項１に記載のシステム（２００）。
【請求項３】
もし、前記判定によって前記送信元アドレスが真正でないとされた場合、前記ＳＭＰＰ伝送装置（２０２）がさらに、前記送信元アドレスが偽物であると疑われるかを判定するように動作し、
もし、前記判定によって前記送信元アドレスが偽物であると疑われるとされた場合、前記ＳＭＰＰ伝送装置（２０２）がさらに、前記ＳＭＰＰ  ＰＤＵを前記ＳＭＰＰ送受信装置（２０４）へ伝送する前に、前記送信元アドレスが偽物であると疑われるという正当性標識を前記ＳＭＰＰ  ＰＤＵに挿入するように動作する、請求項１に記載のシステム（２００）。
【請求項４】
もし、前記判定によって前記送信元アドレスが真正でないとされた場合、前記ＳＭＰＰ伝送装置（２０２）がさらに、前記ＳＭＳメッセージを拒否するように動作する、請求項１に記載のシステム（２００）。
【請求項５】
前記ＳＭＰＰ送受信装置（２０４）が前記ＳＭＰＰ伝送装置（２０２）から前記ＳＭＳメッセージを含む前記ＳＭＰＰ  ＰＤＵを受信し、前記ＳＭＰＰ伝送装置（２０２）により挿入された前記正当性標識を識別するために前記ＳＭＰＰ  ＰＤＵを解析するように動作し、
もし、前記ＳＭＰＰ  ＰＤＵにおける前記正当性標識が前記ＳＭＳメッセージに関する前記送信元アドレスが真正でないことを示す場合、前記ＳＭＰＰ送受信装置（２０４）がさらに、前記ＳＭＳメッセージを宛先へ配信すべきかを判定するように動作する、請求項１に記載のシステム（２００）。
【請求項６】
ショート・メッセージング・ピアツーピア（ＳＭＰＰ）伝送装置（２０２）内でショート・メッセージング・サービス（ＳＭＳ）メッセージを識別するステップを含む方法において、
前記ＳＭＰＰ伝送装置（２０２）において前記ＳＭＳメッセージに関する送信元アドレスを識別するステップと、
前記ＳＭＰＰ伝送装置（２０２）において前記送信元アドレスが真正であるかを判定するステップと、
もし、前記判定によって前記送信元アドレスが真正でないとされた場合、ＳＭＰＰパケット・データ・ユニット（ＰＤＵ）を前記ＳＭＰＰ送受信装置（２０４）へ伝送する前に、前記ＳＭＳメッセージと共に、前記送信元アドレスが真正でないという正当性標識を前記ＳＭＰＰ  ＰＤＵに挿入するステップとを特徴とする、方法。
【請求項７】
もし、前記判定によって前記送信元アドレスが真正であるとされた場合、前記ＳＭＰＰ  ＰＤＵを前記ＳＭＰＰ送受信装置（２０４）へ伝送する前に、前記送信元アドレスが真正であるという正当性標識をＳＭＰＰ  ＰＤＵに挿入するステップをさらに含む、請求項６に記載の方法。
【請求項８】
もし、前記判定によって前記送信元アドレスが真正でないとされた場合、前記ＳＭＰＰ伝送装置（２０２）において、前記送信元アドレスが偽物であると疑われるかを判定するステップと、
もし、前記判定によって前記送信元アドレスが偽物であると疑われるとされた場合、前記ＳＭＰＰ  ＰＤＵを前記ＳＭＰＰ送受信装置（２０４）へ伝送する前に、前記送信元アドレスが偽物であると疑われるという正当性標識を前記ＳＭＰＰ  ＰＤＵに挿入するステップとをさらに含む、請求項６に記載の方法。
【請求項９】
もし、前記判定によって前記送信元アドレスが真正でないとされた場合、前記ＳＭＰＰ伝送装置（２０２）において前記ＳＭＳメッセージを拒否するステップをさらに含む、請求項６に記載の方法。
【請求項１０】
前記ＳＭＰＰ送受信装置（２０４）において前記ＳＭＰＰ伝送装置（２０２）から前記ＳＭＳメッセージを含むＳＭＰＰ  ＰＤＵを受信するステップと、
ＳＭＰＰ伝送装置（２０２）により挿入された前記正当性標識を識別するために前記ＳＭＰＰ送受信装置（２０４）において前記ＳＭＰＰ  ＰＤＵを解析するステップと、
もし、前記ＳＭＰＰ  ＰＤＵにおける前記正当性標識が前記ＳＭＳメッセージに関する前記送信元アドレスが真正でないことを示す場合、前記ＳＭＳメッセージを宛先へ配信すべきかを前記ＳＭＰＰ送受信装置（２０４）において判定するステップとをさらに含む、請求項６に記載の方法。
【発明の詳細な説明】
【技術分野】
【０００１】
本発明は、通信の分野、特に、ＳＭＰＰプロトコルを使用するＳＭＳメッセージの配信に関する。
【背景技術】
【０００２】
テキスト・メッセージングは、地上波公共移動通信ネットワーク（ＰＬＭＮ）などの多くの移動通信ネットワークにおいて非常に一般的な通信モードとなった。テキスト・メッセージングの一例は、ショート・メッセージング・サービス（ＳＭＳ）で、移動装置の間でショート・テキスト・メッセージ（すなわち、１６０文字）の交換を可能にする通信プロトコルである。多くの場合、移動体ユーザーは、通信に関して音声通話よりももっと頻繁にテキスト・メッセージングを使用する。
【０００３】
ショート・メッセージング・ピアツーピア（ＳＭＰＰ）プロトコルは、ショート・メッセージング・サービス・センター（ＳＭＳＣ）および外部ショート・メッセージング・エンティティ（ＥＳＭＥ）などの、ピア・エンティティの間でＳＭＳメッセージを交換するために使用される電気通信プロトコルである。ＳＭＰＰプロトコルは、ＳＭＳピア・エンティティの間でのＳＭＳメッセージの交換に関する一連の操作を規定し、ＳＭＰＰ操作の間にＳＭＳピア・エンティティが交換するデータを規定する。ＳＭＰＰ操作を依頼するエンティティは、ＳＭＰＰ伝送装置と呼ばれる。ＳＭＰＰ操作を受信するエンティティは、ＳＭＰＰ送受信装置と呼ばれる。ＳＭＰＰプロトコルは、ＳＭＰＰ伝送装置とＳＭＰＰ送受信装置との間で交換される要求／応答パケット・データ・ユニット（ＰＤＵ）の対に基づく。ＳＭＳメッセージは、ＰＤＵの本体内にカプセル化される。
【発明の概要】
【発明が解決しようとする課題】
【０００４】
ＳＭＳなりすましは、ＳＭＳメッセージにおける送信元アドレスまたは発信番号が他の番号または英数字文字列で置き換えられるところの技術または実施技法である。ＳＭＳなりすましは、合法的使用および非合法的使用の両方を有する。例えば、ＳＭＳなりすましの合法的使用は、ＳＭＳメッセージの受信者が会社名を目にするように、会社名でＳＭＳメッセージにおける送信元アドレスを置き換えることである。ＳＭＳなりすましの非合法的使用は、別の人、会社、等になりすますために偽の番号でＳＭＳメッセージにおける送信元アドレスを置き換えることである。現在の移動通信ネットワークにおける１つの問題は、ＳＭＳなりすましが効果的に管理されないことである。
【課題を解決するための手段】
【０００５】
本明細書に記述される実施形態は、ＳＭＳなりすましの発生を低減するためにＳＭＰＰプロトコルを介してＳＭＳメッセージの送信元アドレスの正当性を確認する。ＳＭＰＰ送受信装置へＳＭＳメッセージを送信する前に、ＳＭＰＰ伝送装置は、ＳＭＳメッセージの送信元アドレスが真正すなわち信頼できるかを判定する。もしそうでなければ、ＳＭＰＰ伝送装置は、カプセル化されたＳＭＳメッセージに関してＳＭＳなりすましが疑われたＳＭＰＰ  ＰＤＵに正当性標識を挿入し得る。その場合、ＳＭＰＰ  ＰＤＵを受信するＳＭＰＰ送受信装置は、ＳＭＳメッセージをその宛先へ配信するか否かを判定するために正当性標識を処理できる。本実施形態は、ＳＭＳなりすましらしいと疑われるＳＭＳメッセージの幾つかを都合よく拒否して、ＳＭＳなりすましが移動通信ネットワーク上で有する全体的な影響を低減する。
【０００６】
１つの実施形態は、宛先への伝送のためにＳＭＳメッセージを識別（または受信）するように動作するＳＭＰＰ伝送装置を備える。ＳＭＰＰ伝送装置はさらに、ＳＭＳメッセージに関し送信元アドレスを識別し、送信元アドレスが真正であるかを判定するように動作する。もし、判定によって送信元アドレスが真正でないとされた場合、ＳＭＰＰ伝送装置はさらに、ＳＭＰＰ  ＰＤＵをＳＭＰＰ送受信装置へ伝送する前に、ＳＭＳメッセージと共に、送信元アドレスが真正でないという正当性標識をＳＭＰＰ  ＰＤＵに挿入（またはＳＭＳメッセージを拒否）するように動作する。
【０００７】
別の実施形態において、もし、判定によって送信元アドレスが真正であるとされた場合、ＳＭＰＰ伝送装置はさらに、ＳＭＰＰ  ＰＤＵをＳＭＰＰ送受信装置へ伝送する前に、送信元アドレスが真正であるという正当性標識をＳＭＰＰ  ＰＤＵに挿入するように動作する。
【０００８】
別の実施形態において、もし、判定によって送信元アドレスが真正でないとされた場合、ＳＭＰＰ伝送装置はさらに、その送信元アドレスが偽物であると疑われるかを判定するように動作する。もし、判定によってその送信元アドレスが偽物であると疑われるとされた場合、ＳＭＰＰ伝送装置はさらに、ＳＭＰＰ  ＰＤＵをＳＭＰＰ送受信装置へ伝送する前に、送信元アドレスが偽物であると疑われるという正当性標識をＳＭＰＰ  ＰＤＵに挿入するように動作する。
【０００９】
別の実施形態において、もし、判定によってその送信元アドレスが偽物であると疑われないとされた場合、ＳＭＰＰ伝送装置はさらに、ＳＭＰＰ  ＰＤＵをＳＭＰＰ送受信装置へ伝送する前に、送信元アドレスが偽物であると疑われないという正当性標識をＳＭＰＰ  ＰＤＵに挿入するように動作する。
【００１０】
別の実施形態において、ＳＭＰＰ送受信装置は、ＳＭＰＰ伝送装置からＳＭＳメッセージを含むＳＭＰＰ  ＰＤＵを受信し、ＳＭＰＰ伝送装置により挿入された正当性標識を識別するためにＳＭＰＰ  ＰＤＵを解析するように動作する。もし、ＳＭＰＰ  ＰＤＵにおける正当性標識がＳＭＳメッセージに関する送信元アドレスが真正でないことを示すと、ＳＭＰＰ送受信装置はさらに、ＳＭＳメッセージを宛先へ配信すべきかを判定するように動作する。
【００１１】
他の例示的実施形態が、以下に記載される。
【００１２】
本発明の幾つかの実施形態が単なる例示として、添付図面を参照して説明される。同じ参照番号は、すべての図に関して、同じ要素または同じタイプの要素を表している。
【図面の簡単な説明】
【００１３】
【図１】例示的実施形態における移動通信ネットワークを示す図である。
【図２】例示的実施形態におけるＳＭＰＰ送受信装置に結合されたＳＭＰＰ伝送装置を備えるＳＭＰＰシステムを示す図である。
【図３】例示的実施形態におけるＳＭＰＰ伝送装置内でＳＭＳメッセージを検査する方法を示すフローチャートである。
【図４】例示的実施形態におけるＳＭＰＰ伝送装置内でＳＭＳメッセージを検査する代替方法を示すフローチャートである。
【図５】例示的実施形態におけるＳＭＰＰ送受信装置内でＳＭＳメッセージを検査する方法を示すフローチャートである。
【発明を実施するための形態】
【００１４】
図および以下の記述は、本発明の特定の例示的実施形態を示している。したがって、本明細書では明示的に記述または示されていなくとも、本発明の原理を具体化し、かつ本発明の範囲に含まれる様々な構成を当業者が考案できことは理解されるであろう。さらに、本明細書で記述されるすべての例は、本発明の原理を理解するのに役立つことが企図されており、かつ、そのような具体的に列挙された例および条件に限定されることなく解釈されるべきである。結果として、本発明は、以下に記述されている特定の実施形態または例に限定されるのではなく、特許請求の範囲およびその均等物により限定される。
【００１５】
図１は、例示的実施形態における移動通信ネットワーク１００を示している。移動通信ネットワーク１００は、ＣＤＭＡネットワークまたはＧＳＭネットワークなどの回路ベースのネットワーク、ＩＰマルチメディア・サブシステム（ＩＭＳ）ネットワークなどのパケットベースのネットワーク、またはこれら２つの組み合わせを備え得る。移動通信ネットワーク１００は、無線アクセスネットワーク（ＲＡＮ）１０２、サービス提供ネットワーク要素１０４、加入者データベース１０６、およびショート・メッセージング・サービスセンター（ＳＭＳＣ）１０８を含む。ＲＡＮ１０２は、（図１におけるサービス提供ネットワーク要素１０４により表される）コアネットワークによって移動装置とインターフェース接続する任意の無線または無線通信ネットワークを備える。ＲＡＮ１０２の例としては、ＧＳＭ  ＲＡＮ、ＣＤＭＡ  ＲＡＮ、ＵＭＴＳ  ＲＡＮ、ＷＬＡＮなどを含む。サービス提供ネットワーク要素１０４は、移動装置にサービスを提供するコアネットワークにおいて任意のスイッチ、サーバー、または他のノードを備える。例えば、サービス提供ネットワーク要素１０４は、回路ベースのネットワークにおけるＭＳＣ、またはパケットベースのＩＭＳネットワークにおける呼セッション制御機能（ＣＳＣＦ）を備え得る。加入者データベース１０６は、１つまたは複数の移動体加入者に関する加入者情報または加入者プロファイルを格納および保持する任意のデータベースまたは同様のシステムを備える。例えば、加入者データベース１０６は、移動装置１１０のユーザーに関する加入者プロファイルを保持し得る。ＳＭＳＣ１０８は、移動通信ネットワーク１００内でＳＭＳメッセージを処理するように動作する任意のシステム、サーバー、またはノードを備える。
【００１６】
また、移動通信ネットワーク１００と通信する、着呼ゲートウェー（ＩＣＧＷ）１２１、外部ショート・メッセージング・エンティティ（ＥＳＭＥ）１２２、電子メール／ＩＭゲートウェー１２３も示されている。これらのエンティティの各々は、ＳＭＰＰプロトコルを使用してＳＭＳＣ１０８と通信する。具体的には示されないが、ＳＭＰＰプロトコルを使用してＳＭＳＣ１０８と通信する他のエンティティもあり得る。
【００１７】
前述のように、ＳＭＰＰプロトコルは、ＳＭＳピア・エンティティ間のＳＭＳメッセージの交換に関する一連の操作を規定し、かつＳＭＰＰ操作の間にＳＭＳピア・エンティティが交換するデータを規定する。ＳＭＰＰ操作を依頼するエンティティは、ＳＭＰＰ伝送装置と呼ばれ、ＳＭＰＰ操作を受信するエンティティは、ＳＭＰＰ送受信装置と呼ばれる。図２は、例示的実施形態においてＳＭＰＰ送受信装置２０４に結合されたＳＭＰＰ伝送装置２０２を備えるＳＭＰＰシステム２００を示している。例として、ＳＭＰＰ伝送装置２０２は、ＩＣＧＷ１２１、ＥＳＭＥ１２２、または電子メール／ＩＭゲートウェー１２３のうちの１つを備えることがあり、ＳＭＰＰ送受信装置２０４は、ＳＭＳＣ１０８を備えることがある。ＳＭＰＰシステム２００は、移動通信ネットワーク１００に関連して記述されてはいるが、ＳＭＰＰシステム２００はＳＭＳメッセージを交換する任意のネットワークにおいて使用され得ることを当業者なら理解するであろう。
【００１８】
ＳＭＰＰ伝送装置２０２は、ＳＭＰＰパケット・データ・ユニット（ＰＤＵ）においてＳＭＳメッセージをカプセル化し、前記ＳＭＰＰ  ＰＤＵをＳＭＰＰ送受信装置２０４へ送信することができる。ＰＤＵは、以下のように示され得るヘッダーを含む。
‘ｃｏｍｍａｎｄ＿ｌｅｎｇｔｈ’，（６０）．．．００００００３Ｃ
‘ｃｏｍｍａｎｄ＿ｉｄ’，（４）．．．０００００００４
‘ｃｏｍｍａｎｄ＿ｓｔａｔｕｓ’，（０）．．．００００００００
‘ｓｅｑｕｅｎｃｅ＿ｎｕｍｂｅｒ’，（５）．．．０００００００５
ＰＤＵは、また、以下のように示され得る本体を含む。
‘ｓｅｒｖｉｃｅ＿ｔｙｐｅ’，（）．．．００
‘ｓｏｕｒｃｅ＿ａｄｄｒ＿ｔｏｎ’，（２）．．．０２
‘ｓｏｕｒｃｅ＿ａｄｄｒ＿ｎｐｉ’，（８）．．．０８
‘ｓｏｕｒｃｅ＿ａｄｄｒ’，（５５５）．．．３５３５３５００
‘ｄｅｓｔ＿ａｄｄｒ＿ｔｏｎ’，（１）．．．０１
‘ｄｅｓｔ＿ａｄｄｒ＿ｎｐｉ’，（１）．．．０１
‘ｄｅｓｔ＿ａｄｄｒ’，（５５５５５５５５５）．．．３５３５３５３５３５３５３５３５３５００
‘ｅｓｍ＿ｃｌａｓｓ’，（０）．．．００
‘ｐｒｏｔｏｃｏｌ＿ｉｄ’，（０）．．．００
‘ｐｒｉｏｒｉｔｙ＿ｆｌａｇ’，（０）．．．００
‘ｓｃｈｅｄｕｌｅ＿ｄｅｌｉｖｅｒｙ＿ｔｉｍｅ’，（）．．．００
‘ｖａｌｉｄｉｔｙ＿ｐｅｒｉｏｄ’，（）．．．００
‘ｒｅｇｉｓｔｅｒｅｄ＿ｄｅｌｉｖｅｒｙ’，（０）．．．００
‘ｒｅｐｌａｃｅ＿ｉｆ＿ｐｒｅｓｅｎｔ＿ｆｌａｇ’，（０）．．．００
‘ｄａｔａ＿ｃｏｄｉｎｇ’，（０）．．．００
‘ｓｍ＿ｄｅｆａｕｌｔ＿ｍｓｇ＿ｉｄ’，（０）．．．００
‘ｓｍ＿ｌｅｎｇｔｈ’，（１５）．．．ＯＦ
‘ｓｈｏｒｔ＿ｍｅｓｓａｇｅ’，（ｘｘｘｘ）．．．４８６５６Ｃ６Ｃ６Ｆ２０７７６９６Ｂ６９７０６５６４６９６１’
【００１９】
本明細書で提供されている実施形態において、ＳＭＳなりすましと戦うために、ＳＭＰＰ伝送装置２０２は、ＳＭＰＰ  ＰＤＵをＳＭＰＰ送受信機２０４へ送信する前にＳＭＳメッセージに対して送信元アドレスの正当性を検査する。もし、ＳＭＰＰ伝送装置２０２が、送信元アドレスは偽物または偽物であると疑われると判定すると、ＳＭＰＰ伝送装置２０２は、ＳＭＰＰ  ＰＤＵに正当性標識を挿入（またはそのＳＭＳメッセージを拒否）することができる。したがって、ＳＭＰＰ伝送装置２０２は、ＳＭＳメッセージにおいて第１層の検査を実施し、ＳＭＳメッセージの正当性に関する情報をＳＭＰＰ送受信装置２０４に提供することができる。このさらなる説明は図３〜４において示される。
【００２０】
図３は、例示的実施形態におけるＳＭＰＰ伝送装置２０２内においてＳＭＳメッセージを検査する方法３００を示すフローチャートである。方法３００の各ステップは、図２におけるＳＭＰＰシステム２００に関連して記述される。本明細書で記述されるフローチャートの各ステップは、包括的なものではなく、示されていない他のステップを含み得る。これらのステップは、別の順序で実施されてもよい。
【００２１】
ステップ３０２において、ＳＭＰＰ伝送装置２０２は、宛先への配信のために送信元により送られたＳＭＳメッセージを識別（または受信）する。例えば、ＳＭＰＰ伝送装置２０２は、別のエンティティからＳＭＳメッセージを受信してもよく、または伝送のためにＳＭＳメッセージを生成してもよい。ＳＭＰＰ伝送装置２０２は、宛先へＳＭＳメッセージを直接配信せず、代わりに、ＳＭＰＰプロトコルを使用してＳＭＰＰ送受信装置２０４へＳＭＳメッセージを転送する必要がある。ＳＭＰＰプロトコルを使用してＳＭＰＰ送受信装置２０４へＳＭＳメッセージを転送する前に、ＳＭＰＰ伝送装置２０２は、ステップ３０４において、ＳＭＳメッセージに関する送信元アドレスを識別する。送信元アドレスは、アドレス、ディレクトリ番号、またはＳＭＳメッセージの送信元または送信者を示す任意の他の情報を含む。例えば、送信元アドレスは、移動体ディレクトリ番号（ＭＤＮ）、ＩＰアドレスなどであり得る。送信元アドレスは、ＳＭＰＰ伝送装置２０２へＳＭＳメッセージを転送するために使用されるプロトコルに応じて、ＳＭＳメッセージに関連するヘッダー情報の中に配置され得る。
【００２２】
ＳＭＳなりすましが発生すると、ＳＭＳメッセージの送信元アドレスが別のアドレスで置き換えられるのが通常である。すなわち、ＳＭＰＰ伝送装置２０２は、ＳＭＳメッセージに関する送信元アドレスが真正すなわち信頼できるかをステップ３０６で判定する。送信元アドレスの真正性は、本明細書においてその幾つかが後に記載される、ＳＭＰＰ伝送装置２０２における１つまたは複数の一連の規則を処理することにより判定され得る。もし、この判定によって送信元アドレスが真正であるとされた場合、ＳＭＰＰ伝送装置２０２は、ＳＭＳメッセージと共に、ステップ３０８において、ＳＭＳメッセージに関する送信元アドレスが真正であるという正当性標識をＳＭＰＰ  ＰＤＵに挿入し得る。正当性標識は、送信元アドレスが信頼できるか、真正であるか、そうでなければ正当であるかを示す任意の値、コード、または他のデータを含む。例えば、ＳＭＰＰ伝送装置２０２は、送信アドレスが真正であることを示すために、正当性標識としてＰＤＵの「ｅｓｍ＿ｃｌａｓｓ」フィールドの中にメッセージ・タイプを挿入し得る。
【００２３】
もし、判定によって送信元アドレスが真正でないとされた場合、ＳＭＰＰ伝送装置２０２は、ステップ３１０において、送信元アドレスが真正でないという正当性標識をＳＭＰＰ  ＰＤＵに挿入し得る。例えば、ＳＭＰＰ伝送装置２０２は、送信アドレスが真正でないことを示すために、ＰＤＵの「ｅｓｍ＿ｃｌａｓｓ」フィールドの中にメッセージ・タイプを挿入し得る。また、ＳＭＰＰ伝送装置２０２は、ＰＤＵの「ｓｏｕｒｃｅ＿ａｄｄｒ」フィールドの中に送信元アドレスを挿入することもでき、同様にＰＤＵの他のフィールドに適切な値を取り込むこともできる。
【００２４】
ステップ３１２において、ＳＭＰＰ伝送装置２０２は、適切な正当性標識を用いて、ＳＭＰＰ送受信装置２０４へＳＭＰＰ  ＰＤＵを伝送し得る。図３において示される別の選択肢は、もし送信元アドレスが真正でなければ、ＳＭＰＰ伝送装置２０２がそのＳＭＳメッセージを破棄または拒否できることである（ステップ３１４参照）。
【００２５】
方法３００に対する１つの代替案において、もしＳＭＰＰ伝送装置２０２が送信元アドレスは真正であると判定できなければ（ステップ３０６参照）、ＳＭＰＰ伝送装置２０２は、次に、送信元アドレスが偽物であると「疑われる」か否かを判定し得る。図４は、例示的実施形態におけるＳＭＰＰ伝送装置２０２内のＳＭＳメッセージを検査する代替の方法４００を示すフローチャートである。方法４００のフローは、ステップ３０６の判定が実施されるまでは方法３００と同じである。もし、ステップ３０６における判定によって送信元アドレスが真正でないとされた場合、ステップ４０２において、ＳＭＰＰ伝送装置２０２は、そのＳＭＳメッセージに関する送信元アドレスが偽物であると「疑われる」かをさらに判定することができる。送信元アドレスが偽物であると疑われるか否かの判定は、やはりＳＭＰＰ伝送装置２０２における１つまたは複数の一連の規則を処理することにより実施され得る。もし、判定によって送信元アドレスが偽物であると疑われないとされた場合、ステップ４０４において、ＳＭＰＰ伝送装置２０２は、その送信元アドレスが偽物であると疑われないという正当性標識をＳＭＰＰ  ＰＤＵに挿入し得る。例えば、ＳＭＰＰ伝送装置２０２は、送信元アドレスが偽物であると疑われないこと示すために、ＰＤＵの「ｅｓｍ＿ｃｌａｓｓ」フィールドの中にメッセージ・タイプを挿入し得る。もし、判定によって送信元アドレスが偽物であると疑われるとされた場合、ステップ４０６において、ＳＭＰＰ伝送装置２０２は、その送信元アドレスが偽物であると疑われるという正当性標識をＳＭＰＰ  ＰＤＵに挿入し得る。例えば、ＳＭＰＰ伝送装置２０２は、送信元アドレスが偽物であると疑われること示すために、ＰＤＵの「ｅｓｍ＿ｃｌａｓｓ」フィールドの中にメッセージ・タイプを挿入し得る。次に、ＳＭＰＰ伝送装置２０２は、ステップ３１２において、適切な正当性標識を用いて、ＳＭＰＰ送受信装置２０４へＳＭＰＰ  ＰＤＵを送信し得る。図４において示される別の選択肢は、もし送信元アドレスが真正でないかまたは偽物であると疑われるときは、ＳＭＰＰ伝送装置２０２は、そのＳＭＳメッセージを破棄または拒否できることである（ステップ３１４参照）。
【００２６】
ＳＭＰＰ  ＰＤＵに適切な正当性標識を提供するために、これらの実施形態において、ＳＭＰＰ  ＰＤＵが強化される。例えば、１つの強化は、必須として「ｓｙｓｔｅｍ＿ｔｙｐｅ」フィールドを設定することであってもよい（現在のＳＭＰＰ仕様はオプションとして規定）。「ｓｙｓｔｅｍ＿ｔｙｐｅ」フィールドは、ＥＳＭＥ、ＳＭＳＣ、ＩＣＧＷ、電子メール／ＩＭゲートウェーなどのような、ＳＭＰＰ伝送装置タイプを示す。したがって、ＳＭＰＰ伝送装置２０２は、ＳＭＰＰ送受信装置２０４へ送信する前に、ＰＤＵの「ｓｙｓｔｅｍ＿ｔｙｐｅ」フィールドの中に適切な値を挿入し得る。
【００２７】
別な強化は、ＳＭＰＰ伝送装置２０２によりＳＭＳメッセージが受信されたプロトコルを示す、「ｐｒｏｔｏｃｏｌ＿ｉｄ」フィールドの中に適切な値を設定することであってもよい。幾つかの例示的プロトコルは、簡易メール転送プロトコル（ＳＭＴＰ）、ハイパーテキスト転送プロトコル（ＨＴＴＰ）、シンプル・オブジェクト・アクセス・プロトコル（ＳＯＡＰ）などである。したがって、ＳＭＰＰ伝送装置２０２は、ＳＭＰＰ送受信装置２０４へ送信する前に、ＰＤＵの「ｐｒｏｔｏｃｏｌ＿ｉｄ」フィールドの中に適切な値を挿入し得る。
【００２８】
別な強化は、送信元アドレスが真正である（信頼できる）、真正でない、偽物であると疑われる、偽物であると疑われないなどを示す「ｅｓｍ＿ｃｌａｓｓ」フィールドの中に適切なメッセージ・タイプを設定することであってもよい。この強化は、「ｅｓｍ＿ｃｌａｓｓ」フィールドがＰＤＵにおいて正当性標識として使用され得るということで、図３で先に記述された。
【００２９】
別な強化は、適切な番号タイプ（ｔｏｎ）を「ｓｏｕｒｃｅ＿ａｄｄｒ＿ｔｏｎ」フィールドに設定することであってもよい。例えば、「ｓｏｕｒｃｅ＿ａｄｄｒ＿ｔｏｎ」フィールドが偽造国番号を示す１００１に設定され得ること、「ｓｏｕｒｃｅ＿ａｄｄｒ＿ｔｏｎ」フィールドが偽造国際番号を示す１０１０に設定され得ること、「ｓｏｕｒｃｅ＿ａｄｄｒ＿ｔｏｎ」フィールドが信頼できるアドレスを得られないことを示す１１００に設定され得ること、などである。
【００３０】
別な強化は、「ｓｏｕｒｃｅ＿ｓｕｂａｄｄｒｅｓｓ」フィールドを追加することであってもよい。「ｓｏｕｒｃｅ＿ｓｕｂａｄｄｒｅｓｓ」フィールドは、ＳＭＳメッセージを転送するために使用されるトランスポート層の中などのような、ＳＭＳメッセージの送信元アドレス・フィールド以外のどこからか得られるアドレスを含む。例えば、「６３０−５５５−４５６７」の送信元アドレスを有するＳＭＳメッセージは、トランスポート層（例えば、ＴＣＰ／ＩＰ）に基づいて識別される「１３５．８８．２１．９」のＩＰアドレスを有するアプリケーションから送信され得る。
【００３１】
ＳＭＰＰ伝送装置２０２は、ＳＭＳメッセージの送信元アドレスが真正であるか、偽物であると疑われるかなどを判定するために各種の規則を使用し得る。送信元アドレスの真正性を判定するためにＳＭＰＰ伝送装置２０２により使用されるある一連の規則は、信頼できるアドレスのホワイト・リストまたはブラック・リストであり得る。ホワイト・リストは、信頼できる、ＭＤＮ、ＩＰアドレス、スイッチ・ポイント・コード、完全修飾ドメイン名（ＦＱＤＮ）、ドメイン範囲、ＩＰ範囲、オペレーター名などを提供することができる。ブラック・リストは、信頼できない、ＭＤＮ、ＩＰアドレスなどを提供することができる。この一連の規則に従って、ＳＭＰＰ伝送装置２０２は、ＳＭＳメッセージを送信するために信頼できるネットワークに関して、および／またはＳＭＳメッセージを送信することが禁じられるネットワークに関して検査する。例えば、ＳＭＰＰ伝送装置２０２は、ＳＭＳメッセージに関する送信元アドレスをホワイト・リストおよび／またはブラック・リストと比較することができる。もし、送信元アドレスがホワイト・リストの中に見つかると、ＳＭＰＰ伝送装置２０２は、そのＳＭＳメッセージに関する送信元アドレスは真正である（ＳＭＳなりすましではない）と判定することができる。ＳＭＰＰ伝送装置２０２は、送信元アドレスが真正であると示すために、ＰＤＵの「ｅｓｍ＿ｃｌａｓｓ」フィールドに適切なメッセージ・タイプを挿入し得る。もし、ＳＭＳメッセージに関する送信元アドレスがホワイト・リストの中に見つからないまたはブラック・リストの中に見つかると、ＳＭＰＰ伝送装置２０２は、送信元アドレスは真正ではない（ＳＭＳなりすまし）と判定することができる。ＳＭＰＰ伝送装置２０２は、（もし、ＰＤＵをＳＭＰＰ送受信装置２０４へ送信すると決定されると）送信元アドレスが真正でないことを示すために、ＰＤＵの「ｅｓｍ＿ｃｌａｓｓ」フィールドに適切なメッセージ・タイプを挿入し得る。
【００３２】
送信元アドレスが偽物であると「疑われる」かを判定するためにＳＭＰＰ伝送装置２０２により使用される別の一連の規則は、疑わしい送信元アドレスのホワイト・リストまたはブラック・リストであり得る。ホワイト・リストは、偽物であると疑われない（しかし信頼されているわけではない）ＭＳＮ、ＩＰアドレスなどを提供することができる。ブラックトリストは、偽物であると疑われるＭＳＮ、ＩＰアドレスなどを提供することができる。送信元アドレスが真正である（すなわち、前述の信頼できるホワイト・リストにある）保証がないときは、ＳＭＰＰ伝送装置２０２は、偽の送信元アドレスを有するＳＭＳメッセージを送信すると「疑われる」ネットワークに関して検査する。もし、ＳＭＳメッセージに関する送信元アドレスがホワイト・リストの中に見つかると、ＳＭＰＰ伝送装置２０２は、その送信元アドレスが偽物であると疑われないと判定することができる。ＳＭＰＰ伝送装置２０２は、送信元アドレスが偽物であると疑われないことを示すために、ＰＤＵの「ｅｓｍ＿ｃｌａｓｓ」フィールドに適切なメッセージ・タイプを挿入し得る。もし、ＳＭＳメッセージの送信元アドレスがホワイト・リストの中に見つからないまたはブラック・リストの中に見つかると、ＳＭＰＰ伝送装置２０２は、その送信元アドレスが偽物であると疑われると判定することができる。ＳＭＰＰ伝送装置２０２は、（もし、ＰＤＵをＳＭＰＰ送受信装置２０４へ送信すると決定すると）送信元アドレスが偽物であると疑われることを示すために、ＰＤＵの「ｅｓｍ＿ｃｌａｓｓ」フィールドに適切なメッセージ・タイプを挿入し得る。
【００３３】
ＳＭＰＰ伝送装置２０２により使用される別の一連の規則は、アプリケーションおよびプロトコル検査であり得る。この一連の規則に従って、ＳＭＰＰ伝送装置２０２は、偽の送信元アドレスを有するＳＭＳメッセージを送信していると疑われるアプリケーション・タイプおよびプロトコルに関して検査する。一例として、もし、ＳＭＰＰ伝送装置２０２が、ＳＭＳメッセージがソーシャルネットワークに関するウェブポータルなどのアプリケーションを起源とすると検出したとすると、ＳＭＰＰ伝送装置２０２は、その送信元アドレスは偽物であると疑われると判定する。ＳＭＰＰ伝送装置２０２は、（もし、ＰＤＵをＳＭＰＰ送受信装置２０４へ送信すると決定すると）ＰＤＵの「ｐｒｏｔｏｃｏｌ＿ｉｄ」フィールドに適切なプロトコル識別子を挿入し得る。
【００３４】
ＳＭＰＰ伝送装置２０２により使用される別の一連の規則は、アプリケーション・ネットワーク検査である。この一連の規則に従って、ＳＭＰＰ伝送装置２０２は、ＳＭＳメッセージを起動するアプリケーションおよびポータルが送信者のホーム・ネットワークからのものかを検査する。もし、アプリケーションがホーム・ネットワークではなく、フォーリン・ネットワークからであると識別されると、ＳＭＰＰ伝送装置２０２は、送信元アドレスが偽物であると疑われると判定し得る。ＳＭＰＰ伝送装置２０２は、（もし、ＰＤＵをＳＭＰＰ送受信装置２０４へ送信すると決定すると）送信元アドレスが偽物であると疑われることを示すために、ＰＤＵの「ｅｓｍ＿ｃｌａｓｓ」フィールドに適切なメッセージ・タイプを挿入し得る。
【００３５】
ＳＭＰＰ伝送装置２０２により使用される別の一連の規則は、送信者ネットワーク検査であり得る。この一連の規則に従って、ＳＭＰＰ伝送装置２０２は、送信者がＳＭＰＰ伝送装置２０２のホーム・ネットワークに属するかを検査する。もし、送信者がＳＭＰＰ伝送装置２０２のホーム・ネットワークに属している場合、ＳＭＰＰ伝送装置２０２は、ＰＤＵの「ｓｏｕｒｃｅ＿ａｄｄｒ＿ｔｏｎ」フィールドに適切な値を設定し得る。もし、送信者がＳＭＰＰ伝送装置２０２のホーム・ネットワークに属しない場合、（もし、ＰＤＵをＳＭＰＰ送受信装置２０４へ送信すると決定すると）ＳＭＰＰ伝送装置２０２は、ＰＤＵの「ｓｏｕｒｃｅ＿ａｄｄｒ＿ｔｏｎ」フィールドに適切な値を設定し得る。
【００３６】
ＳＭＰＰ伝送装置２０２により使用される別の一連の規則は、ネットワーク通信量しきい値検査（または通信量積算規則）であり得る。この一連の規則に従って、ＳＭＰＰ伝送装置２０２は、送信元アドレスから受信したＳＭＳメッセージ数に関するカウンターを保持する。特定の送信元アドレスから受信したＳＭＳメッセージ数が所与の時限内で量的しきい値を超えると、ＳＭＰＰ伝送装置２０２は、送信元アドレスが偽物であると疑われると判定し得る。ＳＭＰＰ伝送装置２０２は、（もし、ＰＤＵをＳＭＰＰ送受信装置２０４へ送信すると決定すると）送信元アドレスが偽物であると疑われることを示すために、ＰＤＵの「ｅｓｍ＿ｃｌａｓｓ」フィールドに適切なメッセージ・タイプを追加し得る。また、ＳＭＰＰ伝送装置２０２は、特定の送信元アドレスに関する量的しきい値を超えるときはＳＭＳメッセージを破棄または拒否し得る。
【００３７】
もし、ＳＭＰＰ伝送装置２０２がＳＭＰＰ  ＰＤＵをＳＭＰＰ送受信装置２０４へ送信すると、ＳＭＰＰ送受信装置２０４は、ＳＭＳメッセージを宛先へ配信するか否かを判定するためにＳＭＳメッセージにおいて第２層の検査を実施し得る。図５は、例示的実施形態におけるＳＭＰＰ送受信装置２０４内でＳＭＳメッセージを検査する方法５００を示すフローチャートである。方法５００の各ステップは、図２におけるＳＭＰＰシステム２００を参照して記述される。
【００３８】
ステップ５０２において、ＳＭＰＰ送受信装置２０４は、ＳＭＰＰ伝送装置２０２からＳＭＳメッセージを含むＳＭＰＰ  ＰＤＵを受信する。ステップ５０４において、ＳＭＰＰ送受信装置２０４は、ＳＭＰＰ伝送装置２０２により挿入された正当性標識を識別するためにＳＭＰＰ  ＰＤＵを解析する。ＳＭＰＰ送受信装置２０４は、正当性標識を識別するために、「ｅｓｍ＿ｃｌａｓｓ」フィールド、「ｓｏｕｒｃｅ＿ａｄｄｒ」フィールド、「ｓｏｕｒｃｅ＿ａｄｄｒ＿ｔｏｎ」フィールド、「ｓｏｕｒｃｅ＿ｓｕｂａｄｄｒｅｓｓ」フィールドなどを解析し得る。正当性標識は、ＳＭＳメッセージに関する送信元アドレスが、真正である、真正でない、偽物であると疑われる、偽物であると疑われないかなどを示し得る。ステップ５０６において、ＳＭＰＰ送受信装置２０４は、ＳＭＳメッセージ関する送信元アドレスが真正であるかを判定するために正当性標識を処理する。もし、ＳＭＳメッセージ関する送信元アドレスが真正でなければ、ＳＭＰＰ送受信装置２０４は、送信先へＳＭＳメッセージを配信し得る。
【００３９】
もし、ＳＭＳメッセージ関する送信元アドレスが真正でなければ、ＳＭＰＰ送受信装置２０４は、ステップ５０８において、たとえ送信元アドレスが真正でなくても、宛先へＳＭＳメッセージを配信するかを判定する。次に、ＳＭＰＰ送受信装置２０４は、ステップ５１０において、ＳＭＳメッセージを配信するか、または、ステップ５０８における判定に基づいてステップ５１２において、ＳＭＳメッセージを破棄もしくは拒否する。
【００４０】
ＳＭＰＰ送受信装置２０４は、たとえ送信元アドレスが真正でなくても、宛先へＳＭＳメッセージを配信するかを判定するために（ステップ５０８参照）以下の一連の規則の１つまたは複数を適用することができる。ＳＭＳメッセージを配信するか否かを判定するためにＳＭＰＰ送受信装置２０４により使用されるある一連の規則は、アドレスのホワイト・リストまたはブラック・リストであり得る。この一連の規則に従って、ＳＭＰＰ送受信装置２０４は、「ｓｏｕｒｃｅ＿ａｄｄｒ」フィールドからの送信元アドレスに加えたアドレスであるＳＭＰＰ  ＰＤＵの「ｓｏｕｒｃｅ＿ｓｕｂａｄｄｒｅｓｓ」フィールドに挿入されたアドレスを検査する。例えば、「６３０−５５５−４５６７」の送信元アドレスを有するＳＭＳメッセージは、「１３５．８８．２１．９」のＩＰアドレスを有するアプリケーションから送信され得る。ＳＭＰＰ伝送装置２０２は、「ｓｏｕｒｃｅ＿ａｄｄｒｅｓｓ」フィールドに「６３０−５５５−４５６７」を挿入し、「ｓｏｕｒｃｅ＿ｓｕｂａｄｄｒｅｓｓ」フィールドに「１３５．８８．２１．９」を挿入する。ＳＭＰＰ送受信装置２０４は、ホワイト・リストおよび／またはブラック・リストと対照して「ｓｏｕｒｃｅ＿ｓｕｂａｄｄｒｅｓｓ」フィールドの中のアドレスを検査する。もし、アドレスがホワイト・リストの中に含まれていると、ＳＭＰＰ送受信装置２０４は、宛先へＳＭＳメッセージを配信することができる。もし、アドレスがブラック・リストの中に含まれていると、ＳＭＰＰ送受信装置２０４は、ＳＭＳメッセージを破棄または拒否することができる。
【００４１】
ＳＭＰＰ送受信装置２０４により使用される別の一連の規則は、疑わしい送信元アドレスのホワイト・リストまたはブラック・リストであり得る。この一連の規則に従って、ＳＭＰＰ送受信装置２０４は、ＳＭＰＰ  ＰＤＵの「ｓｏｕｒｃｅ＿ａｄｄｒ」フィールドの中の送信元アドレスを検査する。もし、送信元アドレスがホワイト・リストの中に含まれていると、ＳＭＰＰ送受信装置２０４は、宛先へＳＭＳメッセージを配信することができる。もし、送信元アドレスがブラック・リストの中に含まれていると、ＳＭＰＰ送受信装置２０４は、ＳＭＳメッセージを破棄または拒否することができる。
【００４２】
ＳＭＰＰ送受信装置２０４により使用される別の一連の規則は、伝送装置タイプ検査であり得る。この一連の規則に従って、ＳＭＰＰ送受信装置２０４は、ＥＳＭＥ、ＳＭＳＣ、ＩＣＧＷ、電子メール／ＩＭゲートウェーなどのような、ＳＭＳメッセージに関する伝送装置タイプを識別するために、ＳＭＰＰ  ＰＤＵの「ｓｙｓｔｅｍ＿ｉｄ」および／または「ｓｙｓｔｅｍ＿ｔｙｐｅ」フィールドを検査する。次に、ＳＭＰＰ送受信装置２０４は、たとえ送信元アドレスが偽物であると疑われても（すなわち、真正でない）、宛先へＳＭＳメッセージを配信することが許される伝送装置タイプを規定する規準を処理する。
【００４３】
ＳＭＰＰ送受信装置２０４により使用される別の一連の規則は、送信元アプリケーションおよびプロトコル検査であり得る。この一連の規則に従って、ＳＭＰＰ送受信装置２０４は、たとえ送信元アドレスが偽物であると疑われても、宛先へＳＭＳメッセージを配信するかを判定するために、ＳＭＰＰ  ＰＤＵにおいて「ｓｙｓｔｅｍ＿ｔｙｐｅ」および／または「ｐｒｏｔｏｃｏｌ＿ｉｄ」フィールドを検査する。
【００４４】
ＳＭＰＰ送受信装置２０４により使用される別の一連の規則は、宛先ネットワーク検査であり得る。この一連の規則に従って、ＳＭＰＰ送受信装置２０４は、ＳＭＰＰ  ＰＤＵにおいて「宛先アドレス」内に示される宛先が、ＳＭＰＰ送受信装置２０４のホーム・ネットワークに属するかを検査する。もし、それらが同じネットワークに属すれば、ＳＭＰＰ送受信装置２０４は、たとえ送信元アドレスが偽物であると疑われても、そのＳＭＳメッセージを配信し得る。もし、それらが異なるネットワークに属すれば、ＳＭＰＰ送受信装置２０４は、そのＳＭＳメッセージを拒否し得る。
【００４５】
ＳＭＰＰ送受信装置２０４により使用される別の一連の規則は、ネットワーク通信量しきい値検査（または通信量積算規則）であり得る。この一連の規則に従って、ＳＭＰＰ送受信装置２０４は、送信元アドレスから受信したＳＭＳメッセージ数に関するカウンターを保持する。特定の送信元アドレスから受信したＳＭＳメッセージ数が所与の時限内で量的しきい値を超えると、ＳＭＰＰ送受信装置２０４は、ＳＭＳメッセージを拒否し得る。特定の送信元アドレスから受信したＳＭＳメッセージ数が所与の時限内で量的しきい値を超えなければ、ＳＭＰＰ送受信装置２０４は、ＳＭＳメッセージを宛先へ配信し得る。
【００４６】
ＳＭＰＰ伝送装置２０２およびＳＭＰＰ送受信装置２０４は両方ともＳＭＳメッセージの送信元アドレスの正当性を確認する働きをするので、ＳＭＳなりすましの発生は、都合よく低減される。ＳＭＰＰ伝送装置２０２は、一連の規則に基づいて送信元アドレスにおいて第１層の検査を実施し、送信元アドレスが、真正である、真正でない、偽物であると疑われる、および／または偽物であると疑われないかの正当性標識を提供する。次に、ＳＭＰＰ送受信装置２０４は、ＳＭＳメッセージをその宛先へ配信するか否かを判定する一連の規則に基づいて送信元アドレスにおいて第２層の検査を実施する。この二元検査は、移動通信ネットワークにおけるような、ＳＭＳなりすましの影響を効率的に低減する。
【００４７】
図において示されたまたは本明細書で記述された様々な要素のいずれも、ハードウェア、ソフトウェア、ファームウェア、またはこれらの組み合わせとして実現され得る。例えば、ある要素は、専用のハードウェアとして実現され得る。専用のハードウェア要素は、「プロセッサー」、「制御装置」、または類似の用語で呼ばれ得る。プロセッサーにより提供される場合、その機能は、単一の専用プロセッサーにより、単一の共有プロセッサーにより、または、その幾つかが共有され得る複数の個別プロセッサーにより提供され得る。さらに、用語「プロセッサー」または「制御装置」の明示的使用は、ソフトウェアを実行する能力のあるハードウェアを排他的に表していると解釈されるべきではなく、限定無しに、デジタル信号プロセッサー（ＤＳＰ）ハードウェア、ネットワーク・プロセッサー、特定用途向け集積回路（ＡＳＩＣ）または他の回路、フィールド・プログラマブル・ゲート・アレー（ＦＰＧＡ）、ソフトウェアを格納するための読み取り専用メモリー（ＲＯＭ）、ランダム・アクセス・メモリー（ＲＡＭ）、非揮発性記憶装置、論理回路、または他の物理的ハードウェア構成要素またはモジュールを非明示的に含み得る。
【００４８】
また、ある要素は、要素の機能を実施するためにプロセッサーまたはコンピューターにより実行可能な命令として実現され得る。命令の幾つかの例は、ソフトウェア、プログラム・コード、およびファームウェアである。命令は、プロセッサーにより実行される場合には、このプロセッサーに指示して要素の機能を実施するように操作可能である。命令は、プロセッサーにより読み取り可能な格納装置に格納され得る。格納装置の幾つかの例は、デジタルまたは固体素子メモリー、磁気ディスクおよび磁気テープなどの磁気記憶媒体、ハード・ドライブ、または光学的に読み取り可能なデータ記憶媒体である。
【００４９】
本明細書では特定の実施形態を記述してきたが、本発明の範囲は、それらの特定の実施形態に限定されない。本発明の範囲は、添付の特許請求の範囲およびその均等物により定められる。
【図１】
2013516898.tif 000003
【図２】
2013516898.tif 000004
【図３】
2013516898.tif 000005
【図４】
2013516898.tif 000006
【図５】
2013516898.tif 000007
【国際調査報告】
2013516898.tif 000008
2013516898.tif 000009
2013516898.tif 000010